(57)【要約】【課題】利用者における利便性を向上させる処理を、低コストでかつ効率的に行うことができる情報編集装置を提供する。【解決手段】静止画データ及び動画データのうち少なくとも一方を含むデジタルデータを編集する情報編集装置５であって、デジタルデータからテキストデータを抽出する抽出手段４５０と、予め定められた判断基準に基づいて、抽出手段４５０が抽出したテキストデータの重要度を判断し、重要度が高いと判断したテキストデータを重要データと決定する重要度判断手段４５２と、重要データとデジタルデータとを対応付ける対応付手段４３５と、デジタルデータと、当該デジタルデータに対応付けられた重要データとを対応付けた状態で表示させる表示手段５０とを備えた。【選択図】      図５
2004302681.tif 000002
【特許請求の範囲】
【請求項１】
静止画データ及び動画データのうち少なくとも一方を含むデジタルデータを編集する情報編集装置であって、
前記デジタルデータからテキストデータを抽出する抽出手段と、
予め定められた判断基準に基づいて、前記抽出手段が抽出した前記テキストデータの重要度を判断し、重要度が所定の値以上の前記テキストデータを重要データと決定する重要度判断手段と、
前記重要データと前記デジタルデータとを対応付ける対応付手段と、
前記デジタルデータと、当該デジタルデータに対応付けられた前記重要データとを対応付けた状態で表示させる表示手段と
をさらに備えたことを特徴とする情報編集装置。
【請求項２】
前記重要度判断手段は、前記デジタルデータが表示画面に表示された場合の前記テキストデータの表示位置に基づいて、重要度を判断することを特徴とする請求項１に記載の情報編集装置。
【請求項３】
前記重要度判断手段は、前記表示位置が前記表示画面の左上角に近いほど重要度を高く判断することを特徴とする請求項２に記載の情報編集装置。
【請求項４】
利用者が前記テキストデータを指示したことを示す指示情報を取得する指示情報取得手段をさらに備え、
前記重要度判断手段は、前記指示情報取得手段が前記指示情報を取得した回数に基づいて重要度を判断することを特徴とする請求項１から３のいずれか一項に記載の情報編集装置。
【請求項５】
前記重要度判断手段は、前記テキストデータのフォントサイズに基づいて重要度を判断することを特徴とする請求項１から４のいずれか一項に記載の情報編集装置。
【請求項６】
前記デジタルデータは、前記静止画データを含み、
前記重要度判断手段は、前記静止画データに含まれる同一の文字内容の前記テキストデータの出現頻度に基づいて、前記テキストデータが示す文字内容の重要度を判断することを特徴とする請求項１から５のいずれか一項に記載の情報編集装置。
【請求項７】
静止画データ及び動画データのうち少なくとも一方を含むデジタルデータを編集する情報編集方法であって、
前記デジタルデータからテキストデータを抽出する抽出ステップと、
予め定められた判断基準に基づいて、前記抽出手段が抽出した前記テキストデータの重要度を判断し、重要度が所定の値以上の前記テキストデータを重要データと決定する重要度判断ステップと、
前記重要データと前記デジタルデータとを対応付ける対応付ステップと、
前記デジタルデータと、当該デジタルデータに対応付けられた前記重要データとを対応付けた状態で表示させる表示ステップと
をさらに備えたことを特徴とする情報編集方法。
【請求項８】
静止画データ及び動画データのうち少なくとも一方を含むデジタルデータを編集する情報編集方法をコンピュータに実行させる情報編集プログラムであって、
前記デジタルデータからテキストデータを抽出する抽出ステップと、
予め定められた判断基準に基づいて、前記抽出手段が抽出した前記テキストデータの重要度を判断し、重要度が所定の値以上の前記テキストデータを重要データと決定する重要度判断ステップと、
前記重要データと前記デジタルデータとを対応付ける対応付ステップと、
前記デジタルデータと、当該デジタルデータに対応付けられた前記重要データとを対応付けた状態で表示させる表示ステップと
をコンピュータに実行させることを特徴とする情報編集プログラム。
【発明の詳細な説明】
【０００１】
【発明の属する技術分野】
この発明は、情報編集装置、情報編集方法、および情報編集プログラムに関する。
【０００２】
【従来の技術】
長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
インデキシング技術としては、スライド等のドキュメントが表示されたタイミングに基づいて、当該ドキュメントに関連する映像を同期させるドキュメント処理方法が知られている（例えば、特許文献１）。
【０００４】
【特許文献１】
特開２００２−２３２８５８号公報（第５−９頁）
【０００５】
【発明が解決しようとする課題】
さらに、インデキシング技術により処理された映像等のデジタルデータからさらに効率的に、所望の情報のみを取得したいという要望がある。しかし、利用者の多様な要望に適応し得るよう編集等を行う場合には、人の手による処理が必要となるため、処理にコストと時間を要する。そこで、利用者が所望の情報を容易に取得することができるよう、デジタルデータを効率的に処理する技術の開発が望まれている。
【０００６】
この発明は上記に鑑みてなされたもので、利用者における利便性を向上させる処理を、低コストでかつ効率的に行うことができる情報編集装置、情報編集方法、および情報編集プログラムを得ることを目的とする。
【０００７】
【課題を解決するための手段】
上記目的を達成するため、請求項１にかかる発明は、静止画データ及び動画データのうち少なくとも一方を含むデジタルデータを編集する情報編集装置であって、前記デジタルデータからテキストデータを抽出する抽出手段と、予め定められた判断基準に基づいて、前記抽出手段が抽出した前記テキストデータの重要度を判断し、重要度が所定の値以上の前記テキストデータを重要データと決定する重要度判断手段と、前記重要データと前記デジタルデータとを対応付ける対応付手段と、前記デジタルデータと、当該デジタルデータに対応付けられた前記重要データとを対応付けた状態で表示させる表示手段とを備えたことを特徴とする。
【０００８】
この請求項１の発明によれば、重要度判断手段は、予め定められた判断基準に従って重要度を判断することができるので、同一のテキストデータであっても、他の条件との関係で重要データとするか否かを判断することができる。したがって、閲覧者が重要であると判断する内容をより的確に重要データとして決定することができる。
【０００９】
また、重要データをデジタルデータとともに表示することができるので、閲覧者は、重要データに基づいて、デジタルデータの重要な内容を効率的に把握することができる。
【００１０】
また、請求項２にかかる発明は、請求項１に記載の情報編集装置であって、前記重要度判断手段は、前記デジタルデータが表示画面に表示された場合の前記テキストデータの表示位置に基づいて、重要度を判断することを特徴とする。
【００１１】
この請求項２の発明によれば、デジタルデータの表示される位置に基づいて、重要度を判断することができる。例えば、デジタルデータが横書きのテキストデータを含む場合には、各シートの上側にそのシートのタイトルが表示されているなど、重要なテキストデータが表示される位置を予想できる場合がある。このような場合に、予想される位置に応じた重要度を予め判断基準として設定しておくことにより、テキストデータが配置されている位置に応じて、自動的に当該テキストデータの重要度を決定することができる。
【００１２】
また、請求項３にかかる発明は、請求項２に記載の情報編集装置であって、前記重要度判断手段は、前記表示位置が前記表示画面の左上角に近いほど重要度を高く判断することを特徴とする。
【００１３】
この請求項３の発明によれば、表示位置が左上角に近いほど重要度を高く判断することができる。例えば、デジタルデータが横書きのテキストデータを含む場合には、当該テキストデータが表示画面に表示された場合に、表示画面の左上にタイトルなど、重要なテキストデータが表示される場合が多い。したがって、このように、左上角に近いほど重要度を高く判断するように、予め判断基準を設定しておくことにより、自動的に、かつ的確にテキストデータの重要度を決定することができる。
【００１４】
なお、具体的には、左上角からの距離に応じて、例えば５段階の重要度を設定しておいてもよい。
【００１５】
また、請求項４にかかる発明は、請求項１から３のいずれか一項に記載の情報編集装置であって、利用者が前記テキストデータを指示したことを示す指示情報を取得する指示情報取得手段をさらに備え、前記重要度判断手段は、前記指示情報取得手段が前記指示情報を取得した回数に基づいて重要度を判断することを特徴とする。
【００１６】
この請求項４の発明によれば、指示情報を取得した回数に基づいて重要度を判断するので、利用者が重要であると判断したテキストデータの重要度を高く判断することができ、より的確にテキストデータの重要度を判断することができる。
【００１７】
また、請求項５にかかる発明は、請求項１から４のいずれか一項に記載の情報編集装置であって、前記重要度判断手段は、前記テキストデータのフォントサイズに基づいて重要度を判断することを特徴とする。
【００１８】
この請求項５の発明によれば、テキストデータのフォントサイズに基づいて重要度を判断することができる。テキストデータにおいては、より重要な内容は、大きく表示されることが多い。したがって、フォントサイズが大きいほど重要度を高く判断することにより、より的確にテキストデータの重要度を判断することができる。
【００１９】
また、請求項６にかかる発明は、請求項１から５のいずれか一項に記載の情報編集装置であって、前記デジタルデータは、前記静止画データを含み、前記重要度判断手段は、前記静止画データに含まれる同一の文字内容の前記テキストデータの出現頻度に基づいて、前記テキストデータが示す文字内容の重要度を判断することを特徴とする。
【００２０】
この請求項６の発明によれば、同一内容を示すテキストデータの出現頻度に基づいて、テキストデータの重要度を決定することができる。テキストデータにおいては、キーワードは頻出する傾向が高い。したがって、頻出する内容ほど重要度を高く判断することにより、より的確にテキストデータの重要度を判断することができる。
【００２１】
また、請求項７にかかる発明は、静止画データ及び動画データのうち少なくとも一方を含むデジタルデータを編集する情報編集方法であって、前記デジタルデータからテキストデータを抽出する抽出ステップと、予め定められた判断基準に基づいて、前記抽出手段が抽出した前記テキストデータの重要度を判断し、重要度が所定の値以上の前記テキストデータを重要データと決定する重要度判断ステップと、前記重要データと前記デジタルデータとを対応付ける対応付ステップと、前記デジタルデータと、当該デジタルデータに対応付けられた前記重要データとを対応付けた状態で表示させる表示ステップとをさらに備えたことを特徴とする。
【００２２】
この請求項７の発明によれば、同一のテキストデータであっても、他の条件との関係で重要データとするか否かを判断することができる。したがって、閲覧者が重要であると判断する内容をより的確に重要データとして決定することができる。
【００２３】
また、重要データをデジタルデータとともに表示することができるので、閲覧者は、重要データに基づいて、デジタルデータの重要な内容を効率的に把握することができる。
【００２４】
また、請求項８にかかる発明は、静止画データ及び動画データのうち少なくとも一方を含むデジタルデータを編集する情報編集方法をコンピュータに実行させる情報編集プログラムであって、前記デジタルデータからテキストデータを抽出する抽出ステップと、予め定められた判断基準に基づいて、前記抽出手段が抽出した前記テキストデータの重要度を判断し、重要度が所定の値以上の前記テキストデータを重要データと決定する重要度判断ステップと、前記重要データと前記デジタルデータとを対応付ける対応付ステップと、前記デジタルデータと、当該デジタルデータに対応付けられた前記重要データとを対応付けた状態で表示させる表示ステップとをコンピュータに実行させることを特徴とする。
【００２５】
この請求項８の発明によれば、同一のテキストデータであっても、他の条件との関係で重要データとするか否かを判断することができる。したがって、閲覧者が重要であると判断する内容をより的確に重要データとして決定することができる。
【００２６】
また、重要データをデジタルデータとともに表示することができるので、閲覧者は、重要データに基づいて、デジタルデータの重要な内容を効率的に把握することができる。
【００２７】
【発明の実施の形態】
以下に添付図面を参照して、この発明にかかる情報編集装置、情報編集方法、および情報編集プログラムの好適な実施の形態を詳細に説明する。
【００２８】
図１は、この発明の実施の形態である情報編集装置５を含む情報編集システム１の全体構成を示している。
【００２９】
情報編集システム１は、プレゼンテーション資料３１を格納するプレゼンテーション装置２と、このプレゼンテーション装置２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する情報編集装置５とを備えている。なお、ここで、動画情報は、本発明のデジタルデータに相当する。
【００３０】
ＤＶカメラ４と情報編集装置５は、例えば、ＩＥＥＥ１３９４などのインターフェイスで接続されている。また、プレゼンテーション装置２と情報編集装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００３１】
プレゼンテーション装置２は、単にプレゼンテーション資料３１を格納しており、投影機３と通信可能であればよく、例えば、プレゼンターの所有するＰＣであってもよい。
【００３２】
編集者は、プレゼンターがプレゼンテーション資料３１を表示画面３０に表示させながらプレゼンテーションを行っている様子を、ＤＶカメラ４を用いて撮影する。ここで、編集者とは、情報編集システム１を利用して動画を編集する者のことである。
【００３３】
撮影が終了すると、情報編集装置５は、プレゼンテーション装置２からプレゼンテーション資料３１を取得し、さらに、ＤＶカメラ４からプレゼンテーションの様子を示す動画情報を取得する。そして、情報編集装置５は、動画情報を編集する。すなわち、動画情報にプレゼンテーション資料３１を対応付けた情報ファイルを生成する。
【００３４】
図２は、本実施の形態にかかる情報編集システム１に特徴的な処理を行う情報編集装置５の情報編集部３５と、プレゼンテーション装置２のイベント処理部３２の機能構成を示すブロック図である。
【００３５】
イベント処理部３２は、プレゼンテーション装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、イベント情報およびプレゼンテーション資料３１を情報編集装置５に送信する送信部４４とを有している。
【００３６】
また、情報編集部３５は、送信部４４からイベント情報およびプレゼンテーション資料３１を受け取る受信部３６と、受信部３６が受け取ったイベント情報を制御するイベント情報制御部３７と、イベント情報を記録するイベント記録部３８と、イベント記録部３８からイベント情報を取得し、イベント情報の内容を解釈するイベント情報解釈部４２と、編集者からの指示を受け付ける指示受付部５４と、指示受付部５４からの指示に従って、イベント情報解釈部４２によって解釈されたイベント情報に基づいて動画情報を編集し、情報ファイルを生成する情報ファイル生成部４３と、情報ファイル生成部４３が生成した情報ファイルを外部に出力する出力部５０と、ＤＶカメラ４が取り込んだ動画情報をキャプチャする動画情報キャプチャ部４０と、動画情報を管理する動画情報管理部４１と、ＤＶカメラ４を制御する撮影機器制御部３９とを有している。
【００３７】
ここで、プレゼンテーション資料３１は、本発明の画面画像情報に相当する。また、イベントキャプチャ部３３、受信部３６、および動画情報キャプチャ部４０は、それぞれ本発明のイベント情報取得手段、画面画像情報取得手段、および動画情報取得手段を構成する。
【００３８】
ここで、図３を参照しつつ、プレゼンテーション資料３１について説明する。プレゼンテーション資料３１は、プレゼンテーションの際に表示画面３０に表示すべき画面画像３１０，３１２，３１４，３１６，３１８，３２０を含んでいる。各画面画像３１０，３１２，３１４，３１６，３１８，３２０には、ページ番号が対応付けられており、ページ番号順に表示される。すなわち、プレゼンテーション資料３１を構成する画面画像は、当該プレゼンテーション資料３１の作成者が定めた順番に配列されている。図３に示すプレゼンテーション資料３１は、６ページ分の画面画像を含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ  Ｐｏｉｎｔ（Ｒ）のファイルである。
【００３９】
通常、プレゼンテーションにおいて、プレゼンターは、以下の操作を行う。
１．プレゼンテーション装置２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．プレゼンテーション装置２の終了
ここで、ページめくりとは、表示画面３０に表示させる、プレゼンテーション資料３１を１ページから次のページすなわち２ページに切り替えることである。
【００４０】
以上の操作は、いずれもマウス１５またはキーボード２１における所定の操作に対応付けられている。例えば、プレゼンテーション装置２の表示画面に表示されたプレゼンテーション・ソフトのアイコンをマウス１５によりクリックする操作は、プレゼンテーション・ソフトの起動というイベントに対応付けられている。
【００４１】
イベント記録部３４は、このイベント情報のログを記録し、送信部４４は通信インターフェイスを介して情報編集部３５に送信する。
【００４２】
撮影機器制御部３９は、イベント情報に基づいてＤＶカメラ４を制御する。イベント記録部３８は、イベント処理部３２から受信したイベント情報のみならず、ＤＶカメラ４の制御のイベント情報も記録する。
【００４３】
例えば、プレゼンテーション・ソフトの起動というイベントが発生したときは、このイベント情報をイベント記録部３８で記録する。さらに、撮影機器制御部３９により、ＤＶカメラ４からの動画情報取り込みを開始する。プレゼンテーション・ソフトが終了したときは、撮影機器制御部３９は、ＤＶカメラ４からの動画情報の取り込みを終了する。そして、イベント情報制御部３７は、プレゼンテーション・ソフトの終了をイベントとするイベント情報をイベント記録部３８に記録する。
【００４４】
イベント情報解釈部４２は、イベント情報の内容を解釈する。そして、情報ファイル生成部４３は、イベント情報解釈部４２によって解釈されたイベント情報の内容を参照し、プレゼンテーション資料３１及び動画情報に基づいて情報ファイルを生成する。
【００４５】
このように、情報編集部３５は、ＤＶカメラ４から取り込んだ動画情報中のイベントのイベント情報を動画情報とともに管理することができる。つまり、ＤＶカメラ４で撮影され取り込まれた動画情報は、時間の推移を規定する時間情報を付されて保存される。また、記録されたイベント情報は、情報ファイル生成部４３により、プレゼンテーション資料３１とマージされ、内容記述言語（ＭＰＥＧ−７など）により管理される。
【００４６】
図４は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えばページ２が表示されると、「ページ２に切り替え」というイベント情報３４２が記録される。これにより、各ページの表示を開始した表示開始時刻および表示を終了した終了時刻を認識することができる。
【００４７】
また、ページ内の所定のテキストデータが、マウス１５などにより、プレゼンターから指定されると、「「○○○」ポインタ指定」というイベント情報３４４が記録される。
【００４８】
図５は、図２において説明した、情報ファイル生成部４３の詳細な機能構成を示す機能ブロック図である。情報ファイル生成部４３は、区間決定部４３０と、区間調整部４３１と、同期部４３３と、テキストデータ抽出部４５０と、重要度判断部４５２と、重要データファイル生成部４５４と、判断条件保持部４５６と、対応付部４３５とを有している。
【００４９】
区間決定部４３０は、ＤＶカメラ４から取得した動画情報６００を、プレゼンテーション装置２から取得したイベント情報７００に基づいて、複数の区間に分割する。具体的には、区間決定部４３０は、ページめくりを示すイベント情報が示す時刻に録画されたフレーム位置を動画情報の区間の境界位置として決定する。すなわち、一のページが表示されている区間は、同一区間となり、ページが切り替わるタイミングが、区間の境界に対応する。
【００５０】
区間調整部４３１は、区間決定部４３０が分割した区間の長さを調整する。具体的には、区間決定部４３０により決定された区間の長さが、予め定められた規定長に比べて短い場合に、この規定長よりも短い区間、すなわち規定長外区間を、当該規定長区間の直前または直後の区間に統合する。
【００５１】
同期部４３３は、イベント情報に基づいて、動画情報６００とプレゼンテーション資料３１との同期を取る。すなわち、動画情報６００の各区間を表示させるときに同時に表示させるべきプレゼンテーション資料３１の一のページを、各区間に対応付ける。
【００５２】
同期調整部４３６は、動画情報６００の規定外区間に対して、同期部４３３が同期させたプレゼンテーション資料３１のページにかえて、規定外区間の統合先の区間に同期されたページを同期させる。
【００５３】
判断条件保持部４５６は、重要度を判断するための条件を保持している。すなわち、判断条件は予め定められている。なお、判断条件保持部４４２は、指示受付部５４を介して利用者から入力された判断条件を保持してもよい。
【００５４】
テキストデータ抽出部４５０は、画面画像情報３１からテキストデータを抽出する。重要度判断部４５２は、判断条件保持部４５６に保持されている判断条件に基づいて、テキストデータ抽出部４３４が抽出したテキストデータの重要度を判断する。
【００５５】
重要データファイル生成部４５４は、一の動画情報６００に対応付けられている各画面画像情報３１から抽出した重要データを含む重要データファイルを生成する。
【００５６】
対応付部４３５は、重要データファイル生成部４５４が生成した重要データファイルを、動画情報６００に対応付ける。さらに、画面画像情報３１を動画情報６００に対応付けて、情報ファイルを生成する。
【００５７】
図６は、情報編集部３５が生成した情報ファイルを示している。情報ファイルは、動画情報６００と、動画情報６００の各区間６１０に対応付けられた複数の画面画像３１０，３１２・・・を有している。なお、動画情報６００の各区間６１０は、複数のフレーム６２０を含んでいる。各区間６１０の長さは、イベント情報により決定される。このように、動画情報６００は、プレゼンテーション資料３１の各画面画像３１０，３１２・・・と対応付けられているので、動画情報６００とプレゼンテーション資料３１の各画面画像３１０，３１２・・・とを同期して表示させることができる。
【００５８】
図７は、出力部５０から出力された情報ファイルを示している。図７に示す表示部５００には、動画情報６００と、プレゼンテーション資料３１のうち、表示部５００に表示されている区間に同期されたページ３３０と、動画情報６００に対応付けられている画面画像情報３１から生成された重要データファイル８００とが表示されている。なお、重要データファイル８００と動画情報６００とはリンクしており、例えば、重要データファイル８００中の「テーマ１：製造業の空洞化」という重要データが選択されると、そのとき表示されている動画の区間にかかわらず、動画情報６００の当該重要データが含まれる区間が再生される。
【００５９】
なお、本実施の形態においては、情報ファイル生成部４３は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を利用して情報ファイルを生成する。ここで、ＳＭＩＬとは、動画、静止画、音声、音楽、文字など様々な形式のデータの再生を制御して同期させる言語のことであり、ＸＭＬで記述されている。ＳＭＩＬを用いることにより、表示画面における表示位置、表示させるタイミング、表示させる時間などを指定することができる。
【００６０】
以下、図８を参照しつつ、情報編集部３５が情報ファイルを作成するときの情報編集処理について説明する。まず、区間決定部４３０は、ＤＶカメラ４から取得した動画情報６００を、プレゼンテーション装置２から取得したイベント情報７００に基づいて複数の区間に分割する（ステップＳ１００）。
【００６１】
具体的には、「発生日時１０時１０分、イベント種類ページ２に切り替え」及び「発生日時１０時１６分、イベント種類ページ３に切り替え」を示す連続して記録された２つのイベント情報を取得した場合には、動画情報６００のうち１０時１０分から１０時１６分の間に録画された区間はページ２に対応する区間と決定される。すなわち、１０時１０分および１０時１６分の位置を境界位置とする区間に分割する。
【００６２】
次に、区間調整部４３１は、区間決定部４３０によって決定された各区間の長さを、予め定められた規定長と比較する。そして、規定長に比べて短い区間、すなわち規定長外区間があった場合（ステップＳ１０２，Ｙｅｓ）、規定長外区間を調整する（ステップＳ１０４）。
【００６３】
ここで、図９を参照しつつ、区間調整部４３１が規定長外区間を調整する方法について説明する。図９は、動画情報６００を時間軸に沿って模式的に示している。例えば、「テーマ１」の区間は、動画情報６００のうち、動画情報６００に映像として含まれている表示画面３０に「テーマ１」の表題のページ、すなわち１ページが表示されている区間を示している。このように、各区間は、表示画面３０に表示された画面画像の切り替りを境界として定められている。
【００６４】
また、ｔ１は、「テーマ１」に対応する区間を再生するのに要する再生時間である。すなわち、ｔ１は、テーマ１のページであるページ１の表示終了時刻と開始時刻の差分値である。ここで、先に述べた規定長は、ｔｓで示される。すなわち、規定長は再生時間の単位で定められている。
【００６５】
区間の長さｔｘ（ｘ＝１〜６）の各々について規定長ｔｓと比較し、規定長ｔｓに比べて短い区間は、規定長ｔｓよりも長い他の区間に統合する。例えば、図９（ａ）に示す「テーマ４」を表示する区間の長さｔ４および「テーマ５」の区間の長さｔ５は規定長に比べて短い。従って、「テーマ４」の区間および「テーマ５」の区間は、規定外区間と判断される。この場合、図９（ｂ）に示すように、規定外区間は、その直後の区間に統合される。すなわち、「テーマ５」の区間は、「テーマ６」の区間に統合される。また、「テーマ４」の直後の区間、すなわち「テーマ５」の区間は規定外区間であるので、「テーマ４」の区間は、さらにその直後の区間、すなわち「テーマ６」の区間に統合される。すなわち、「テーマ４」の区間、「テーマ５」の区間、および「テーマ６」の区間が１つの区間に統合され、いずれも区間４に含まれることになる。
【００６６】
プレゼンテーションにおいては、時間の都合上、途中のページの説明を省略する場合がある。図９の「テーマ４」の区間および「テーマ５」の区間ように、その表示時間が短い場合、これらの画面画像は「テーマ６」を表示させるため表示されたに過ぎず、画面画像に対する説明は省略されていると推測される。このように、説明の対象となっていないと予想される、表示時間の短い画面画像に対応する区間を省略することで、より見やすい情報に編集することができる。
【００６７】
プレゼンテーション資料３１の途中の画面画像の説明を省略する場合、省略する画面画像を表示させている間、プレゼンターは、次に説明する画面画像に関する内容を意識している場合が多い。このため、表示画面３０に省略された画面画像が表示されている間は、その次に説明の対象となるページにおいて説明すべき事項に関連する説明をしていると予想される。また、実際のプレゼンテーションにおいても、このようなケースが多い。そこで、本実施の形態においては、規定外区間は、便宜的にその直後の区間に含めることにした。これにより、内容的に統一された区間を１つの区間とすることができる。
【００６８】
説明を図８に戻す。動画情報が複数の区間に分割されると、次に、同期部４３３は、イベント情報７００に基づいて、動画情報６００とプレゼンテーション資料３１とを同期させる（ステップＳ１０６）。次に、テキストデータ抽出部４５０は、プレゼンテーション資料３１から各画面画像情報３１からテキストデータを抽出する（ステップＳ１０７）。次に、重要度判断部４５２は、テキストデータ抽出部４５０が抽出した各テキストデータの重要度を判断する（ステップＳ１０８）。なお、重要度の判断方法については後に詳述する。
【００６９】
次に、重要データファイル生成部４５４は、一の動画情報６００に対応付けられる画面画像情報３１から抽出された重要データを含む重要データファイルを生成する（ステップＳ１０９）。次に、対応付部４３５は、重要データファイル、および画面画像情報３１を動画情報６００の各区間に対応付ける（ステップＳ１１０）。
【００７０】
ステップＳ１０２，ステップＳ１０４において、区間を統合した場合には（ステップＳ１１２，Ｙｅｓ）、同期調整部４３６は、動画情報６００とプレゼンテーション資料３１の同期を調整する（ステップＳ１１４）。以上で情報ファイルを作成するときの情報編集処理が完了する。
【００７１】
ここで、図１０を参照しつつ同期調整部４３６が同期を調整する方法について説明する。図１０に示すように、動画情報６００の各区間と、当該区間と同時に表示すべきプレゼンテーション資料３１の各ページは同期している。規定外区間である「テーマ４」の区間および「テーマ５」の区間には、それぞれプレゼンテーション資料３１のうち「テーマ４」を示す４ページと５ページが同期している。この場合、同期調整部４３６は、「テーマ４」の区間および「テーマ５」の区間を含む区間４全体に対してプレゼンテーション資料３１の６ページを同期させる。すなわち、同期調整部４３６は、「テーマ４」の区間に対して、４ページにかえて６ページを同期させ、かつ「テーマ５」の区間に対して、５ページにかえて６ページを同期させる。
【００７２】
規定外区間において表示画面３０に表示される画面画像は、該当するページにおいて、その説明が省略されており、表示させる必要がない場合が多い。また、先に説明したように、これらの画面画像を表示しているとき、プレゼンターはその後に表示する画面画像に関する内容について説明している場合が多い。このため、同期部４３３によって同期された画面画像を同期させるよりも、その後に表示するページを同期したほうが、利用者は内容を理解しやすい。
【００７３】
次に、図１１を参照しつつ、図８に示した重要度判断処理（ステップＳ１０８）における重要度判断部４５２の詳細な処理について説明する。図１１は、判断条件保持部４５６に保持される判断条件を模式的に示す図である。図１１（ａ）から図１１（ｄ）に示すように、本実施の形態においては、テキストデータの出現頻度、文字サイズ、マウス等によるプレゼンターからの指示回数、および表示画面３０に表示された場合の、テキストデータが配置される位置の表示画面左上角からの距離が判断条件とされる。
【００７４】
具体的には、図１１（ａ）に示すように、出現頻度が多いほど高い重要度指数が設定される。なお、出現頻度とは、一の画面画像内に含まれている同一の意味内容を示すテキストデータの数のことである。また、図１１（ｂ）に示すように文字サイズが大きいほど高い重要度指数が設定される。また、図１１（ｃ）に示すようにプレゼンターからの指示が多いほど高い重要度指数が設定される。また、図１１（ｄ）に示すように、左上角からの距離が小さいほど大きい重要度指数が設定される。図１２は、表示位置に対する図１１（ｄ）に対応する重み付けパターン毎の領域を示している。テキストデータが含まれる領域の重要度指数が、当該テキストデータの重要度指数として決定される。
【００７５】
各テキストデータに対して、以上の４つの判断条件をすべて検討し、各重要度指数を特定する。そして、４つの判断条件から特定された４つの重要度指数の和に基づいて、当該テキストデータを重要度データとするか否かを決定する。
【００７６】
図１３は、画面画像３１におけるテキストデータの配置の例を示している。このように、同一のテキストデータであっても、配置される位置、大きさ、出現頻度が異なる場合には、重要度指数の和が異なる。したがって、このように、同一の内容のテキストデータであっても、重要データと決定する場合としない場合とがある。このように、複数の条件によって重要データを特定するので、より重要なテキストデータを重要データとして特定することができる。
【００７７】
図１４は、これらの判断条件によって図１３（ａ），（ｂ），および（ｃ）に示すテキストデータから算出された重要度の合計を示している。
【００７８】
図１３（ａ），（ｂ），および（ｃ）に対する重要度指数を図１４（ａ），（ｂ），および（ｃ）にそれぞれ示している。図１４（Ａ）においては、一の画面画像内に「環境」というテキストデータが４つ含まれているので、出現頻度は「４」である。この場合の領域重み付けは、各テキストデータに対する重み付けの合計値である。また、重要度指数の合計は、領域重み付け、指示回数、および文字サイズの積である。
【００７９】
図１４に示す例においては、図１４（Ｃ）のにおける「環境」というテキストデータに対して最も高い重要度指数が設定される。このように、各画面画像に含まれるテキストデータの重要度指数の合計を算出し、所定の値以上の重要度指数の合計値に対するテキストデータのみを重要データとして決定する。そして、一の動画データに対応する重要データを含む重要データファイルを生成する。本実施の形態においては、重要度指数が１０以上のテキストデータを重要データとして決定する。
【００８０】
図１５は、実施の形態にかかる情報編集装置５のハードウェア構成を示す図である。情報編集装置５は、図２および図５を参照しつつ説明した、情報編集部３５の情報編集プログラムなどが格納されているＲＯＭ５２、ＲＯＭ５２内のプログラムに従って情報編集装置５の各部を制御し、情報編集処理等を実行するＣＰＵ５１、ワークエリアが形成され、情報編集装置５の制御に必要な種々のデータが記憶されているＲＡＭ５３、ネットワークに接続して、通信を行う通信Ｉ／Ｆ５７、および各部を接続するバス６２を備えている。
【００８１】
先に述べた情報編集装置５における情報編集処理を実行する情報編集プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【００８２】
また、本実施形態の情報編集プログラムを、インターネット等のネットワークに接続されたコンピュータ上に格納し、ネットワーク経由でダウンロードさせることにより提供するように構成しても良い。
【００８３】
この場合には、情報編集プログラムは、情報編集装置５において上記記録媒体から読み出して実行することにより主記憶装置上にロードされ、上記ソフトウェア構成で説明した各部が主記憶装置上に生成されるようになっている。
【００８４】
また、プレゼンテーション装置２のハードウェア構成は、図１５を参照しつつ説明した情報編集装置５のハードウェア構成と同様であるので、説明を省略する。
【００８５】
以上、実施の形態にかかる情報編集システム１について説明したが、上記実施の形態に多様な変更または改良を加えることができる。
【００８６】
【発明の効果】
以上説明したように、請求項１にかかる発明によれば、重要度判断手段は、予め定められた判断基準に従って重要度を判断することができるので、同一のテキストデータであっても、他の条件との関係で重要データとするか否かを判断することができる。したがって、閲覧者が重要であると判断する内容をより的確に重要データとして決定することができるという効果を奏する。
【００８７】
また、重要データをデジタルデータとともに表示することができるので、閲覧者は、重要データに基づいて、デジタルデータの重要な内容を効率的に把握することができるという効果を奏する。
【００８８】
また、請求項２にかかる発明によれば、予想される位置に応じた重要度を予め判断基準として設定しておくことにより、テキストデータが配置されている位置に応じて、自動的に当該テキストデータの重要度を決定することができるという効果を奏する。
【００８９】
また、請求項３にかかる発明によれば、予め判断基準を設定しておくことにより、自動的に、かつ的確にテキストデータの重要度を決定することができるという効果を奏する。
【００９０】
また、請求項４にかかる発明によれば、指示情報を取得した回数に基づいて重要度を判断するので、利用者が重要であると判断したテキストデータの重要度を高く判断することができ、より的確にテキストデータの重要度を判断することができるという効果を奏する。
【００９１】
また、請求項５にかかる発明によれば、フォントサイズが大きいほど重要度を高く判断することにより、より的確にテキストデータの重要度を判断することができるという効果を奏する。
【００９２】
また、請求項６にかかる発明によれば、頻出する内容ほど重要度を高く判断するので、より的確にテキストデータの重要度を判断することができるという効果を奏する。
【００９３】
また、請求項７にかかる発明によれば、同一のテキストデータであっても、他の条件との関係で重要データとするか否かを判断することができる。したがって、閲覧者が重要であると判断する内容をより的確に重要データとして決定することができるという効果を奏する。
【００９４】
また、重要データをデジタルデータとともに表示することができるので、閲覧者は、重要データに基づいて、デジタルデータの重要な内容を効率的に把握することができるという効果を奏する。
【００９５】
また、請求項８にかかる発明によれば、同一のテキストデータであっても、他の条件との関係で重要データとするか否かを判断することができる。したがって、閲覧者が重要であると判断する内容をより的確に重要データとして決定することができるという効果を奏する。
【００９６】
また、重要データをデジタルデータとともに表示することができるので、閲覧者は、重要データに基づいて、デジタルデータの重要な内容を効率的に把握することができるという効果を奏する。
【図面の簡単な説明】
【図１】情報編集システム１の全体構成を示す図である。
【図２】情報編集装置５の情報編集部３５と、プレゼンテーション装置２のイベント処理部３２の機能構成を示すブロック図である。
【図３】プレゼンテーション資料３１を模式的に示す図である。
【図４】イベント情報リスト３４０のデータ構成を模式的に示している。
【図５】情報ファイル生成部４３の詳細な機能構成を示す機能ブロック図である。
【図６】情報編集部３５が生成した情報ファイルを示す図である。
【図７】出力部５０から出力された情報ファイルを示す図である。
【図８】情報編集部３５が情報ファイルを作成するときの情報編集処理を示すフローチャートである。
【図９】動画情報６００を時間軸に沿って模式的に示す図である。
【図１０】同期調整部４３６による同期の調整方法を説明するための図である。
【図１１】図８に示した重要度判断処理（ステップＳ１０８）における重要度判断部４５２の詳細な処理について説明するための図である。
【図１２】表示位置に対する図１１（ｄ）に対応する重み付けパターンを示す図である。
【図１３】画面画像３１におけるテキストデータの配置の例を示す図である。
【図１４】判断条件によって図１３に示すテキストデータから算出された重要度の合計を示す図である。
【図１５】情報編集装置５のハードウェア構成を示す図である。
【符号の説明】
１  情報編集システム
２  プレゼンテーション装置
３  投影機
４  ＤＶカメラ
５  情報編集装置
１５  マウス
２１  キーボード
３０  表示画面
３１  プレゼンテーション資料
３２  イベント処理部
３３  イベントキャプチャ部
３４  イベント記録部
３５  情報編集部
３６  受信部
３７  イベント情報制御部
３８  イベント記録部
３９  撮影機器制御部
４０  動画情報キャプチャ部
４１  動画情報管理部
４２  イベント情報解釈部
４３  情報ファイル生成部
４４  送信部
５０  出力部
５４  指示受付部
４３０  区間決定部
４３１  区間調整部
４３３  同期部
４３５  対応付部
４３６  同期調整部
４５０  テキストデータ抽出部
４５２  重要度判断部
４５４  重要データファイル生成部
４５６  判断条件保持部
５００  表示部
【図１】
2004302681.tif 000003
【図２】
2004302681.tif 000004
【図３】
2004302681.tif 000005
【図４】
2004302681.tif 000006
【図５】
2004302681.tif 000007
【図６】
2004302681.tif 000008
【図７】
2004302681.tif 000009
【図８】
2004302681.tif 000010
【図９】
2004302681.tif 000011
【図１０】
2004302681.tif 000012
【図１１】
2004302681.tif 000013
【図１２】
2004302681.tif 000014
【図１３】
2004302681.tif 000015
【図１４】
2004302681.tif 000016
【図１５】
2004302681.tif 000017